(57)【特許請求の範囲】
【請求項１】
遊戯台の隣接位置に取り付けられている台間機ホルダと、この台間機ホルダに対して着脱可能に取り付けられている台間機本体とを有し、前記遊戯台で使用する遊戯媒体の貸し出し処理を行う台間機において、
前記台間機ホルダは、遊戯台上下方向に分割された複数の同一形状の分割ホルダを備え、これら各分割ホルダが上下に連結固定されており、各分割ホルダは金属板のプレス成形品であり、
前記台間機本体は、前記分割ホルダに対応して遊戯台上下方向に分割された複数の台間機本体部分から構成されており、各台間機本体部分は、各分割ホルダに対して独立して着脱できるように取り付けられていることを特徴とする台間機。
【請求項２】
請求項１に記載の台間機ホルダであって、
前記分割ホルダのそれぞれは、前方に開口した溝形断面の垂直金属枠と、この垂直金属枠の上端から水平に前方に延びる下方に開口した溝形断面の上側水平金属枠と、前記垂直金属枠の下端から水平に前方に延びる上方に開口した溝形断面の下側水平金属枠とを備えており、前記垂直金属枠、前記上側水平金属枠および前記下側水平金属枠はプレス成形品であることを特徴とする台間機ホルダ。
【請求項３】
請求項２において、
前記上側水平金属枠および前記下側水平金属枠は同一形状であることを特徴とする台間機ホルダ。
【請求項４】
請求項２または３において、
前記分割ホルダには最も上側に位置している最上段分割ホルダと、それ以外の下段側分割ホルダとが含まれており、
前記最上段分割ホルダは、前記垂直金属枠の上端に前記上側水平金属枠が上下にスライド可能な状態で取り付けられ、前記垂直金属枠の下端に前記下側水平金属枠がスポット溶接により固着されており、
前記下段側分割ホルダは、前記垂直金属枠の上端および下端に、それぞれ前記上側水平金属枠および前記下側水平金属枠がスポット溶接により固着されていることを特徴とする台間機ホルダ。
【請求項５】
請求項４において、
前記分割ホルダの前記下側水平金属枠と、下段側に位置している前記分割ホルダの前記上側水平金属枠とをスポット溶接することにより、これら分割ホルダが上下に連結固定されていることを特徴とする台間機ホルダ。
【請求項６】
請求項２または３に記載の台間機ホルダの製造方法であって、
金属板をプレス成形することにより複数本の前記垂直金属枠、複数本の前記上側水平金属枠および複数本の前記下側水平金属枠を製作し、
前記垂直金属枠の上端に上下にスライド可能な状態で前記上側水平金属枠を取り付けると共に、前記垂直金属枠の下端に前記下側水平金属枠をスポット溶接により固着して、第１の分割ホルダを製作し、
前記垂直金属枠の上端および下端にそれぞれ上側水平金属枠および下側水平金属枠をスポット溶接により固着して、少なくとも一つの第２の分割ホルダを製作し、
前記第１の分割ホルダの下側水平金属枠と前記第２の上側水平金属枠をスポット溶接により固着して、これら第１および第２の分割ホルダを上下に連結固定することを特徴とする台間機ホルダの製造方法。
【請求項７】
請求項２または３に記載の台間機ホルダの製造方法であって、
金属板をプレス成形することにより前記垂直金属枠、前記上側水平金属枠および下側水平金属枠を備える分割ホルダを複数本製作し、
一つの分割ホルダの垂直金属枠と下側水平金属枠とを溶接により固着して第１の分割ホルダを製作し、
他の分割ホルダの垂直金属枠と下側水平金属枠および上側水平金属枠とを溶接により固着して第２の分割ホルダを製作し、
前記第１の分割ホルダの下側水平金属枠と前記第２の分割ホルダの上側水平金属枠とを溶接により固着して、これら第１および第２の分割ホルダを上下に連結固定することを特徴とする台間機ホルダの製造方法。
【発明の詳細な説明】
【０００１】
【発明の属する技術分野】
本発明は、隣接するパチンコ台等の遊戯台で使用するパチンコ玉などの遊戯媒体の貸し出しを行う台間機に関するものである。さらに詳しくは、本発明は、遊戯台の隣接位置に取り付けた台間機ホルダに対して台間機本体が着脱可能に取り付けられた構成の台間機において、その台間機ホルダの改良技術に関するものである。
【０００２】
【従来の技術】
一般に、パチンコホール等の遊技場では複数列の遊戯島が配置されており、各遊戯島は、複数台の遊戯台と、各遊戯台の間に配置された台間機から構成されている。台間機は隣接配置されている遊戯台で使用するパチンコ玉、メダル等の遊戯媒体を投入されたプリペイドカードや現金等の有価証券の額に応じて貸し出すためのものであり、遊戯者は遊戯台に正対して座ったままで遊戯媒体の貸し出しを受けることができるので便利である。
【０００３】
この台間機としては、一般に、投入された金額に応じて直接に遊戯媒体を貸し出す方式のもの（玉貸機、メダル貸機などと呼ばれるもの）と、遊戯台との間で通信を行って遊戯台から遊戯媒体を貸し出させる方式のもの（ユニットと呼ばれるもの）とが知られている。
【０００４】
台間機は遊戯台の間等における限られたスペースに設置する必要があるので、遊戯台間の狭いスペースを有効利用できるように、縦長で奥行きのある上下に細長い直方体形状とされている。また、故障時の修理や、定期的な保守点検作業を簡単に行うことができるように、遊戯台間に配置された台間機ホルダと、この台間機ホルダに対して着脱可能に取り付けた台間機本体とを備えた構成とされている。台間機本体を着脱式とすることにより、故障時などにおいては、台間機本体を台間機ホルダから遊戯台の手前側に引き出すことにより当該台間機本体を台間機ホルダから抜き取って修理などを行うことができ、修理後には、台間機ホルダに対して遊戯台手前側か奥に向けて台間機本体を押し込むことにより、修理後の台間機本体を台間機ホルダに取り付けることができる。
【０００５】
台間機本体を着脱式とした構成の台間機は、例えば、特開２００２−１１２３８公報に開示されている。この公開公報に開示されている台間機では、台間機本体の裏面に後向きにコネクタが取り付けられ、台間機ホルダ側には前向きにコネクタが取り付けられており、台間機本体を台間機ホルダに差し込むと、コネクタ同士の接続状態が自動的に形成されるので、給電用配線などの手間を不要にできるという特徴を備えている。
【０００６】
【発明が解決しようとする課題】
ここで、台間機ホルダは一般にプレス成形によって製造されており、台間機本体の機能に応じて形状が異なるので、一機種一ホルダの割合で、プレス成形用の金型を製作しなければならない。
【０００７】
また、後に台間機の仕様を、紙幣のみ使用、硬貨のみ使用、紙幣・硬貨の併用、カードのみの使用などに変更する場合や、遊戯媒体を直接に玉貸し機、メダル貸し機に変更する場合にも、その都度、台間機全体のレイアウト変更等に合わせて台間機ホルダも変更する必要がある。従って、新たなプレス成形用の金型を製作しなければならない。
【０００８】
本発明の課題は、このような点に鑑みて、台間機ホルダの金型費を低減することにより台間機ホルダのコストダウンを図り、以って廉価な台間機を実現することにある。
【０００９】
また、本発明の課題は、これに加えて、台間機ホルダの汎用化を図ることにより台間機ホルダのコストダウンを図り、以って廉価な台間機を実現することにある。
【００１０】
【課題を解決するための手段】
上記の課題を解決するために、本発明は、パチンコ台などの遊戯台の隣接位置に取り付けられている台間機ホルダと、この台間機ホルダに対して着脱可能に取り付けられている台間機本体とを有し、前記遊戯台で使用する遊戯媒体の貸し出し処理を行う台間機において、前記台間機ホルダは、遊戯台上下方向に分割された複数の同一形状の分割ホルダを備え、これら各分割ホルダが上下に連結固定されており、各分割ホルダは金属板のプレス成形品であることを特徴としている。
【００１１】
本発明の台間機ではその台間機ホルダが、上下に分割された短い寸法の分割ホルダを連結することにより構成されている。長尺物をプレス成形する場合に比べて、短い分割ホルダをプレス成形するために用いる金型は廉価に製造できる。この結果、台間機ホルダの製作コストを低減でき、台間機のコストダウンを実現できる。
【００１２】
上記構成に加えて、本発明の台間機では、前記台間機本体を、前記分割ホルダに対応して遊戯台上下方向に分割された複数の台間機本体部分から構成し、各台間機本体部分を、各分割ホルダに対して独立して着脱できるように取り付けるようにしている。この構成により、台間機本体の着脱作業を簡単に行うことができる。
【００１３】
次に、本発明は、上記のように上下に分割された分割ホルダから構成される台間機ホルダに関するものであり、本発明の台間機ホルダの各分割ホルダは、
前方に開口した溝形断面の垂直金属枠と、
この垂直金属枠の上端から水平に前方に延びる下方に開口した溝形断面の上側水平金属枠と、
前記垂直金属枠の下端から水平に前方に延びる上方に開口した溝形断面の下側水平金属枠とを備えており、
前記垂直金属枠、前記上側水平金属枠および前記下側水平金属枠はプレス成形品であることを特徴としている。
【００１４】
このように構成すれば、各分割ホルダを、垂直金属枠、上側水平金属枠および下側水平金属枠から構成できるので、各分割ホルダを構成する部品の共通化を図ることができる。この結果、部品コストを低減でき、また、部品管理が容易になるので、台間機ホルダのコストダウンを実現できる。
【００１５】
この場合、上側水平金属枠および下側水平金属枠を共通化すれば、一層の部品の共通化、および部品管理の容易化を図ることができ、しかも、プレス成形用金型の種類も少なくて済むので、台間機ホルダの一層のコストダウンを達成できる。
【００１６】
また、前記分割ホルダのうち、最も上側に位置している最上段分割ホルダを、前記垂直金属枠の上端に前記上側水平金属枠が上下にスライド可能な状態で取り付けられ、前記垂直金属枠の下端に前記下側水平金属枠がスポット溶接により固着された構成とし、下段側の前記分割ホルダを、前記垂直金属枠の上端および下端に、それぞれ前記上側水平金属枠および前記下側水平金属枠がスポット溶接により固着された構成とすることが望ましい。
【００１７】
このようにすれば、台間機ホルダが取り付けられる遊戯島の木枠などの上下の間隔にばらつきがあった場合に、上側水平金属枠を上下にスライドさせることにより対応できる。
【００１８】
また、この場合、上下の分割ホルダの連結も、前記分割ホルダの前記下側水平金属枠と、下段側に位置している前記分割ホルダの前記上側水平金属枠とをスポット溶接することにより行うことができる。
【００１９】
次に、本発明は上記構成の台間機ホルダの製造方法に関するものであり、本発明の台間機ホルダの製造方法は、
金属板をプレス成形することにより複数本の前記垂直金属枠、複数本の前記上側水平金属枠および複数本の前記下側水平金属枠を製作し、
前記垂直金属枠の上端に上下にスライド可能な状態で前記上側水平金属枠を取り付けると共に、前記垂直金属枠の下端に前記下側水平金属枠をスポット溶接により固着して、第１の分割ホルダを製作し、
前記垂直金属枠の上端および下端にそれぞれ上側水平金属枠および下側水平金属枠をスポット溶接により固着して、少なくとも一つの第２の分割ホルダを製作し、
前記第１の分割ホルダの下側水平金属枠と前記第２の上側水平金属枠をスポット溶接により固着して、これら第１および第２の分割ホルダを上下に連結固定することを特徴としている。
【００２０】
本発明の製造方法によれば、台間機ホルダを上下に分割した分割ホルダを構成している短い金属枠をプレス成形により製作すればよいので、そのプレス成形用の金型の製作費を低減できる。また、各分割ホルダの構成部品は共通化が図られているので、部品の製作コストを低減でき、また金型の種類も少なくて良いので金型費も低減でき、さらには部品の管理も容易になる。よって、台間機ホルダのコストダウンを達成でき、その分、台間機のコストも低減できる。
【００２１】
また、本発明の台間機ホルダの製造方法は、
金属板をプレス成形することにより前記垂直金属枠、前記上側水平金属枠および下側水平金属枠を備える分割ホルダを複数本製作し、
一つの分割ホルダの垂直金属枠と下側水平金属枠とを溶接により固着して第１の分割ホルダを製作し、
他の分割ホルダの垂直金属枠と下側水平金属枠および上側水平金属枠とを溶接により固着して第２の分割ホルダを製作し、
前記第１の分割ホルダの下側水平金属枠と前記第２の分割ホルダの上側水平金属枠とを溶接により固着して、これら第１および第２の分割ホルダを上下に連結固定することを特徴とするものである。
【００２２】
【発明の実施の形態】
以下に、図面を参照して本発明を適用した製造した台間機の一例を説明する。
【００２３】
（全体構成）
図１は本例の台間機を示す正面図、側面図および背面図である。本例の台間機１は、遊戯島のパチンコ台などの遊戯台の隣接位置において遊戯島の骨組を構成している木枠（図示せず）に固定される台間機ホルダ２と、この台間機ホルダ２に対して着脱可能に取り付けられた台間機本体３と、台間機ホルダ２の背面に取り付けた外部通信用の中継器４から構成されている。
【００２４】
台間機ホルダ２は上側ホルダ５と下側ホルダ６から構成されており、台間機本体３も上側台間機本体部分７と下側台間機本体部分８から構成されており、上側ホルダ５には上側台間機本体部分７が着脱可能な状態で取り付けられ、下側ホルダ６には下側台間機本体部分８が同じく着脱可能な状態で取り付けられている。従って、上側台間機本体部分７および下側台間機本体部分８はそれぞれ別個に台間機ホルダ２に対して着脱することが可能である。
【００２５】
（台間機本体）
図２および図３は、それぞれ、台間機本体３を構成している上側台間機本体部分７および下側台間機本体部分８を示す正面図、側面図および背面図である。図１ないし図３を参照して説明すると、本例の上側台間機本体部分７は、前面が開放した縦長の扁平な直方体形状をしたユニットケース７１と、このユニットケース７１の前面に取り付けた前面パネル７２と、ユニットケース７１の内部に搭載された紙幣識別機７３および硬貨識別機７４とを備えている。
【００２６】
本例では紙幣識別機７３が上側に配置されており、この紙幣識別機７３に対峙している前面パネル７２の部位には紙幣挿入口７２ａが形成されている。前面パネル７２における紙幣挿入口７２ａの下側の部位には硬貨挿入口７２ｂが形成されており、ここから硬貨識別機７４までの間には硬貨を硬貨識別機７４に導くためのシュート７４ａが形成されている。また、前面パネル７２の下端部分には硬貨排出口７２ｃが形成されており、硬貨識別機７４の下側には排出すべき硬貨を硬貨排出口７２ｃに導く排出用シュート７４ｂおよび回収すべき硬貨を台間機１の背面側に配置されている硬貨搬送路（図示せず）に導く回収用シュート７４ｃが形成されている。
【００２７】
ユニットケース７１の背面７１ａには、紙幣識別機７３に取り込まれた紙幣を台間機１の背面側に配置されている紙幣搬送路（図示せず）に導くための紙幣回収用スリット７１ｂおよび、硬貨を回収用シュート７４ｃから不図示の硬貨搬送路に導くための硬貨回収用スリット７１ｃが形成されている。また、背面７１ａには配線用のコネクタ７５が後向きの状態で取り付けられており、このコネクタ７５の先端面は背面７１ａとほぼ同一位置とされている。さらに、このコネクタ７５の上下には位置決め用のピン孔７６ａ、７６ｂが形成されている。コネクタ７５は給電用配線および、下側台間機本体部分８との間の通信用配線のためのものである。
【００２８】
次に、下側台間機部分８は、前面が開放した縦長の扁平な直方体形状をしたユニットケース８１と、このユニットケース８１の前面に取り付けた前面パネル８２と、ユニットケース８１の内部に搭載された制御器８３およびカードリーダライタ８４とを備えている。
【００２９】
制御器８３は、カードリーダライタ８４、上側台間機本体部分７の紙幣識別機７３および硬貨識別機７４の駆動を制御する制御回路部と、これらに対して電力を供給する電源回路部と、外部の上位側コンピュータ、例えば遊戯店のホストコンピュータとの間で通信を行うための通信制御部とを備えている。この制御器８３に対峙している前面パネル８２の部位にはテンキーおよび表示器が備わった操作部８２ａが取り付けられている。また、カードリーダライタ８４に対峙している前面パネル８２の部位にはカード挿入・排出口８２ｂが形成されている。
【００３０】
さらに、ユニットケース８１の背面８１ａにおける制御器８３に対峙した部位には配線用のコネクタ８５が後向きの状態で取り付けられており、このコネクタ８５の先端面は背面８１ａとほぼ同一位置とされている。このコネクタ８５の上下には位置決め用のピン孔８６ａ、８６ｂが形成されている。コネクタ８５は、給電用配線、上側台間機本体部分７への給電用配線、上側台間機本体部分７との間の通信用配線、並びに外部に対する通信用配線のためのものである。なお、本例の台間機本体３を構成している上側台間機本体部分７および下側台間機本体部分８のユニットケース７１、８１は同一形状、同一寸法とされている。
【００３１】
（台間機ホルダおよび中継器）
次に、図４は中継器４が取り付けられた台間機ホルダ２を示す側面図および背面図であり、図５は上側ホルダ５および下側ホルダ６を示す側面図、並びに中継器４を示す側面図である。図１、図４および図５を参照して説明すると、上側ホルダ５は、前側に開口した溝形断面の垂直金属枠５１と、この垂直金属枠５１の上端から前方に水平に延びている下側に開口した溝形断面の上側水平金属枠５２と、垂直金属枠５１の下端から前方に水平に延びている上側に開口した溝形断面の下側水平金属枠５３から構成されている。これらの金属枠５１、５２、５３は金属板をプレス加工することにより製作したものであり、下側水平金属枠５３の左右の側板部分５３ａ、５３ｂの後端部分が、垂直金属枠５１の左右の側板部分５１ａ、５１ｂの下端部分の内面に対してスポット溶接により固着されている。これに対して、上側水平金属枠５２は、垂直金属枠５１の左右の側板部分５１ａ、５１ｂの間に挟持されており、上下にスライド可能となっている。本例では、上側水平金属枠５２と下側水平金属枠５３は同一部品であり、上下を逆にして垂直金属枠５１に取り付けられている。
【００３２】
下側ホルダ６は上側ホルダ５と同一寸法のものであり、前側に開口した溝形断面の垂直金属枠６１と、この垂直金属枠６１の上端から前方に水平に延びている下側に開口した溝形断面の上側水平金属枠６２と、垂直金属枠６１の下端から前方に水平に延びている上側に開口した溝形断面の下側水平金属枠６３から構成されている。これらの金属枠６１、６２、６３は金属板をプレス加工することにより製作したものであり、下側水平金属枠６３は、左右の側板部分６３ａ、６３ｂが、垂直金属枠６１の左右の側板部分６１ａ、６１ｂの内面に対してスポット溶接により固着されている。同様に、上側水平金属枠６２の左右の側板部分６２ａ、６２ｂも、垂直金属枠６１の左右の側板部分６１ａ、６１ｂの内面にスポット溶接により固着されている。本例では、上側水平金属枠６２と下側水平金属枠６３は同一部品であり、上下を逆にして垂直金属枠６１に取り付けられている。
【００３３】
このように構成された上側ホルダ５および下側ホルダ６は、上側ホルダ５の下側水平金属枠５３の底板部分５３ｃと、下側ホルダ６の上側水平金属枠６２の天板部分６２ｃとがスポット溶接によって相互に固着されて一体化して、台間機ホルダ２を構成している。
【００３４】
台間機ホルダ２の背面に取り付けられている中継器４は、台間機ホルダ２の背面を構成している上下のホルダ５、６の垂直金属枠５１、６１の背面板部分５１ｃ、６１ｃとほぼ同一の幅の縦長の直方体形状をしており、その上半部分が上側ホルダ５の背面に固定され、その下半部分が下側ホルダ６の背面に固定されている。また、中継器４の前面４ａにおける上下対称の位置には、それぞれ上側コネクタ４１および下側コネクタ４２が前向きに取り付けられている。各コネクタ４１、４２の上下にはそれぞれ、位置決め用のピン４３ａ、４３ｂおよび４４ａ、４４ｂが前方に水平に突出している。
【００３５】
ここで、上側ホルダ５の背面（垂直金属枠５１の背面板部分５１ｃ）および下側ホルダ６の背面（垂直金属枠６１の背面板部分６１ｃ）には、上下対称の状態で同一寸法の矩形開口５１ｄ、５１ｅおよび６１ｄ、６１ｅが形成されている。中継器４を取り付けた状態では、矩形開口５１ｅおよび６１ｄを介して、コネクタ４１およびピン４３ａ、４３ｂ、コネクタ４２およびピン４４ａ、４４ｂが台間機ホルダ２の背面から前方に突出した状態になる。なお、中継器４には、回収された硬貨を遊戯島の硬貨搬送路に導くための矩形の切り欠き４５が形成されている。
【００３６】
このように、本例の台間機ホルダ２を構成している上側ホルダ５および下側ホルダ６は、上側ホルダ５の上側水平金属枠５２がスポット溶接されていないという点を除いて同一である。
【００３７】
（台間機ホルダの製造方法）
本例の台間機１の台間機ホルダ２の製造方法を図５を参照して説明する。まず、上側ホルダ５および下側ホルダ６を製作する。このためには、垂直金属枠５１、６１として用いる垂直金属枠１１をプレス成形するための金型を製作し、これを用いて複数本の垂直金属枠１１を金属板からプレス成形する。同様に、上下の水平金属枠５２、５３および６２、６３として用いる水平金属枠１２をプレス成形するための金型を製作し、これを用いて複数本の水平金属枠１２をプレス成形する。
【００３８】
次に、製作した垂直金属枠１１の上下に水平金属枠１２を逆向きにスポット溶接により固着して下側ホルダ６を製作する。また、垂直金属枠１１の上端に上下にスライド可能に水平金属枠１２を下向きに取り付けると共に、垂直金属枠１１の下端にスポット溶接により水平金属枠１２を上向きに取り付けることにより、上側ホルダ５を製作する。
【００３９】
次に、これら上側および下側ホルダ５、６をスポット溶接により上下に結合することにより、台間機ホルダ２が得られる。
【００４０】
なお、台間機１の取り付けは次のように行われる。まず、図４に示すように、台間機ホルダ２の背面に中継器４を取り付け、遊戯台の隣接位置において遊戯島の骨組みを構成している木枠（図示せず）に対して台間機ホルダ２の上下の水平金属枠５１、水平金属枠６２を固定する。遊戯島の上下の木枠間隔にばらつきがあっても、上側の水平金属枠５１を上下にスライドさせることにより対応できる。
【００４１】
台間機ホルダ２を取り付けた後は、前側から、上側台間機本体部分７を台間機ホルダ２の上側ホルダ５における上下の水平金属枠５２、５３によって規定される部分（装着部）に差し込み、そのユニットケース７１の背面を上側ホルダ５の垂直金属枠５１の背面板部分５１ｃに当たる状態を形成する。この時、背面板部分５１ｃから前方に突出している上下一対のピン４３ａ、４３ｂが、差し込まれた上側ホルダ５の背面に形成されているピン孔７６ａ、７６ｂに嵌る。これにより、台間機ホルダ２側の上側コネクタ４１と上側台間機本体部分７の側のコネクタ７５が位置決めされて、相互に結合される。
【００４２】
同様に、下側台間機本体部分８を台間機ホルダ２の下側ホルダ６における上下の水平金属枠６２、６３によって規定される部分（装着部）に差し込むことにより、当該下側ホルダ６に取り付ける。下側台間機本体部分８を差し込むことにより、そのコネクタ８５が台間機ホルダ２の側の下側コネクタ４２に差し込まれて相互に結合する。
【００４３】
この結果、図１に示すように、台間機ホルダ２に台間機本体３が取り付けられた状態が形成される。この状態では、台間機ホルダ２の背面に取り付けられている中継器４は、上側コネクタ４１および上側台間機本体部分７のコネクタ７５を介して、紙幣識別機７３および硬貨識別機７４に接続され、下側コネクタ４２および下側台間機本体部分８のコネクタ８５を介して、制御器８３およびカードリーダライタ８４に接続されている。
【００４４】
中継器４にはその背面側から電力供給配線が接続され、また、外部のホストコンピュータなどとの間で通信を行うためのケーブル配線が接続される。この結果、中継器４を介して、上下に分割されている上側台間機本体部分７および下側台間機本体部分８が電気的に相互に接続され、また、中継器４を介してこれらの台間機部分７、８が外部のホストコンピュータなどに電気的に接続された状態が形成される。
【００４５】
遊戯台の隣接位置に設置された台間機１によるパチンコ玉等の遊戯媒体の貸し出し動作は、例えば、次のように行われる。台間機１の前面パネル（７２、８２）に形成されているカード挿入・排出口８２ｂからプリペイドカードを挿入して、操作部のキー操作を行って希望交換金額を入力する。制御器８３は入力信号に基づき、カードリーダライタ８４を制御して挿入されたカードの記憶金額を減算して書き換え処理を行いカードを返却させる。また、貸し出すべき遊戯媒体の数に関する情報を隣接する遊戯台の側に中継器４を介して送信すると共にホストコンピュータの側にも送信する。遊戯台の側では受信内容に基づき遊戯媒体の貸し出しを行う。紙幣あるいは硬貨が投入された場合にも、制御器４の制御の下に、上側台間機本体部分７に収納されている紙幣識別機７３あるいは硬貨識別機７４によって投入金額が検出され、これに対応する数の遊戯媒体の貸し出しが、隣接の遊戯台において行われる。
【００４６】
（実施例の効果）
本例の台間機１では、その台間機ホルダ２に着脱可能に取り付けられている台間機本体３が上下に二分割された構成となっており、また、双方を個別に着脱することが可能である。従って、上下に長い台間機本体を着脱する場合に比べて、台間機本体３の着脱作業を簡単に行うことができる。
【００４７】
また、本例では下側台間機本体部分８に制御器８３およびカードリーダライタ８４を収納し、磁気カードあるいはＩＣカードなどのプリペイドカードを用いて遊戯媒体の貸し出しを行うことを基本としている。従って、上側台間機本体部分７として、紙幣識別機７３のみが内蔵されたユニット、硬貨選別機７４のみが内蔵されたユニット、あるいは灰皿を備えたユニット、空気清浄機を備えたユニット、テレビが収納されたユニットなどに変更することができる。
【００４８】
すなわち、上側台間機本体部分７のユニットケース７１と同一形状および寸法のユニットケースと、中継器４の上側コネクタ４１に接続可能なコネクタとを備えた各種の上側台間機本体部分を用意しておけば、希望に応じて、各種のユニットに交換することができる。また、カードリーダライタ８４のみが必要な場合には、ユニットケースと前面パネルのみからなるダミーの上側台間機本体部分を用意しておき、これを取り付ければよい。
【００４９】
勿論、カードリーダライタを基本とする代わりに、例えば紙幣識別機を基本とすることもできる。この場合には、制御器と紙幣識別機を下側台間機本体部分８あるいは上側台間機本体部分７に収納した構成とし、他方の台間機本体部分として各種のものを用意しておけばよい。
【００５０】
また、本例では、上下に分割された台間機本体３の背面に単一の中継器４を取り付け、この中継器４に配置した上下のコネクタ４１、４２を介して、各台間機本体部分７、８との電気的な接続をとるようにしている。従って、台間機ホルダ２に上下の台間機本体部分７、８を差し込むだけでこれらの間が電気的に接続されるので、上下に分割した台間機３の配線を簡単に形成できる。
【００５１】
さらに、中継器４を介して、下側台間機本体部分８に収納されている制御器８３と上側台間機本体部分７に収納されている紙幣識別機７３および硬貨識別機７４との間の電気的接続も形成される。よって、単一の制御器８３を用いて上下に分割された台間機本体部分７、８に収納されている各機構部（７３、７４、８４）を制御できるので便利である。
【００５２】
次に、本例の台間機１では、台間機ホルダ２を上下に分割した構成としてある。従って、上下に長い台間機ホルダ２の構成枠をプレス成形する場合に比べて、半分の長さの垂直枠５１、６１をプレス成形すればよいので、プレス金型のコストを低減できるという利点がある。また、分割された上側ホルダ５および下側ホルダ６を同一形状および同一寸法として、その構成部品を共通化してあるので、プレス金型の種類を増やす必要がなく、部品管理も容易であり、上下のホルダ製作も容易になる。
【００５３】
特に、本例では、上下のホルダ５、６の構成部品として、垂直金属枠と水平金属枠の２種類でよく、従って、プレス成形用の金型も２種類のみでよい。従って、部品コストを大幅に低減できるので、台間機ホルダの大幅なコストダウンを達成できる。
【００５４】
また、上下のホルダ５、６に着脱可能に取り付けられる上側台間機本体部分および下側台間機本体部分も同一形状および寸法としてあるので、台間機１の仕様を変更する場合などにおいて、台間機ホルダ２の側を変更する必要がない。よって、汎用的な台間機ホルダを実現できる。
【００５５】
（その他の実施の形態）
上記の例は、台間機本体を上下に二分割すると共に台間機ホルダも同様に上下に二分割した構造のものであるが、台間機本体および台間機ホルダを上下に三分割以上とすることも可能である。また、台間機本体を分割せずに、台間機ホルダのみを上下に分割するようにしてもよい。
【００５６】
一方、台間機ホルダの製造は次のようにして行うこともできる。まず、金属板をプレス成形することにより垂直金属枠、上側水平金属枠および下側水平金属枠を備える分割ホルダを複数本製作する。次に、一つの分割ホルダの垂直金属枠と下側水平金属枠とを溶接により固着して第１の分割ホルダを製作する。また、他の分割ホルダの垂直金属枠と下側水平金属枠および上側水平金属枠とを溶接により固着して第２の分割ホルダを製作する。しかる後に、第１の分割ホルダの下側水平金属枠と第２の分割ホルダの上側水平金属枠とを溶接により固着して、これら第１および第２の分割ホルダを上下に連結固定する。
【００５７】
【発明の効果】
以上説明したように、本発明の台間機における台間機ホルダでは、遊戯台上下方向に分割された複数の同一形状の分割ホルダを備え、各分割ホルダが金属板のプレス成形品からなり、これら分割ホルダが上下に連結固定されている。従って、長尺物をプレス成形する場合に比べて、短い分割ホルダをプレス成形するために用いる金型は廉価に製造できるので、台間機ホルダの製作コストを低減でき、台間機のコストダウンを実現できる。
【００５８】
また、本発明の台間機ホルダの各分割ホルダは、プレス成形品である垂直金属枠と、この上下に取り付けたプレス成形品である水平金属枠とから構成されており、各分割ホルダを構成する部品の共通化を図ることができる。この結果、部品コストを低減でき、また、部品管理が容易になるので、台間機ホルダのコストダウンを実現できる。
【００５９】
特に、上側水平金属枠および下側水平金属枠が共通化されている場合には、一層の部品の共通化、および部品管理の容易化を図ることができ、しかも、プレス成形用金型の種類も少なくて済むので、台間機ホルダの一層のコストダウンを達成できる。
【００６０】
次に、本発明では、金属板をプレス成形することにより複数本の垂直金属枠、複数本の上側水平金属枠および複数本の下側水平金属枠を製作し、垂直金属枠の上下に水平金属枠を取り付けることにより分割ホルダを製作し、これを上下に連結固定することにより台間機ホルダを製造している。少ない種類の部品で分割ホルダを製作できるので、製作が容易であり、台間機ホルダのコストダウンを図ることができる。
【００６１】
一方、本発明においては、台間機本体を上下に分割した同一形状および寸法の台間機本体部分から構成している。したがって、台間機本体の仕様、レイアウトが変更されても台間機ホルダの側を変更する必要がないので、台間機ホルダの汎用化を図ることができる。
【図面の簡単な説明】
【図１】（ａ）、（ｂ）および（ｃ）は、本発明を適用した台間機を示す正面図、側面図および背面図である。
【図２】（ａ）、（ｂ）および（ｃ）は、図１の台間機における台間機本体を構成している上側台間機本体部分を示す正面図、側面図および背面図である。
【図３】（ａ）、（ｂ）および（ｃ）は、図１の台間機における台間機本体を構成している下側台間機本体部分を示す正面図、側面図および背面図である。
【図４】（ａ）および（ｂ）は、図１の台間機における中継器が取り付けられた状態の台間機ホルダを示す側面図および背面図である。
【図５】（ａ）および（ｂ）は、図４の台間機ホルダを構成している上側ホルダを示す側面図および下側ホルダを示す側面図であり、（ｃ）は台間機ホルダに取り付けられている中継器を示す側面図である。
【符号の説明】
１    台間機
２    ホルダ
３    台間機本体
４    中継器
４１、４２  コネクタ
４３ａ、４３ｂ、４４ａ、４４ｂ  位置決め用のピン
５    上側ホルダ
６    下側ホルダ
５１、６１  垂直金属枠
５２、６２  上側水平金属枠
５３、６３  下側水平金属枠
７    上側台間機本体部分
７１  ユニットケース
７２  前面パネル
７３  紙幣識別機
７４  硬貨識別機
７５  コネクタ
８    下側台間機本体部分
８１  ユニットケース
８２  前面パネル
８３  制御器
８４  カードリーダライタ
８５  コネクタ
１１  垂直金属枠
１２  水平金属枠
【図１】
0003862601.tif 000002
【図２】
0003862601.tif 000003
【図３】
0003862601.tif 000004
【図４】
0003862601.tif 000005
【図５】
0003862601.tif 000006